(57)【要約】【課題】通話中に携帯端末装置が顔から離れた状態において、ユーザの使用状態応じた音声出力および音声入力の適正な制御を行う。【解決手段】携帯端末装置（１）は、自装置がユーザの顔から離れた状態において、自装置が手に把持されている状態である第１状態と、自装置が手に把持されておらず、かつ、静止している状態である第２状態と、を少なくとも検出する状態検出部（１２）と、第１状態および第２状態に応じて、音声出力部（２４）の出力の大きさ、およびマイク（２３）のマイクゲインの大きさを設定する音声設定部（１３）と、を備える。【選択図】図１
2016163053.tif 000002
【特許請求の範囲】
【請求項１】
音声を出力する音声出力部と、音声を受け付ける音声入力部とを備えた、通話機能を有する携帯端末装置であって、
自装置がユーザの顔から離れた状態において、自装置が手に把持されている状態である第１状態と、自装置がユーザの顔から離れた状態において、自装置が手に把持されておらず、かつ、静止している状態である第２状態と、を少なくとも検出する状態検出部と、
自装置が前記第１状態および前記第２状態のいずれであるかに応じて、前記音声出力部の出力の大きさ、および前記音声入力部のゲインの大きさの少なくとも一方を設定する音声設定部と、
を備えることを特徴とする携帯端末装置。
【請求項２】
前記音声設定部は、前記第２状態における前記音声出力部からの出力の大きさを、前記第１状態における前記音声出力部からの出力の大きさよりも大きくなるように設定することを特徴とする請求項１に記載の携帯端末装置。
【請求項３】
前記音声設定部は、前記第２状態における前記音声入力部のゲインの大きさを、前記第１状態における前記音声入力部のゲインの大きさよりも大きくなるように設定することを特徴とする請求項１または２に記載の携帯端末装置。
【請求項４】
前記音声設定部は、前記第１状態における前記音声入力部のゲインの大きさを、自装置がユーザの顔から離れていない状態における前記音声入力部のゲインの大きさよりも大きくなるように設定することを特徴とする請求項１から３のいずれか１項に記載の携帯端末装置。
【請求項５】
ユーザの顔の近接を検出する近接センサと、
ユーザに把持されていることを検出する把持センサと、
自装置の加速度を検出する加速度センサと、を備えることを特徴とする請求項１から４のいずれか１項に記載の携帯端末装置。
【発明の詳細な説明】
【技術分野】
【０００１】
本発明は、通話機能を有する携帯端末装置に関する。
【背景技術】
【０００２】
従来、ユーザの操作を要さずに、通話中の携帯端末装置とユーザの顔とが離れていない状態における各使用態様に応じて、音声出力部からの音声出力の大きさ、または音声入力部の音声入力ゲインを調整する技術が知られている。しかし、そのような携帯端末装置では、携帯端末装置を顔から離した状態における使用態様に応じては、上記調整を行うことができない。
【０００３】
そこで、特許文献１には、携帯端末装置を顔から離した状態において、音量の設定を行える車載用ハンズフリー通話装置について記載されている。詳しくは、上記車載用ハンズフリー通話装置は、発話内容の繰り返しを検出する繰り返し検出部、特定のキーワードを検出するキーワード検出部を設けることにより、発話内容に応じたパラメータ（例えば音量）が自動的に設定される。
【先行技術文献】
【特許文献】
【０００４】
【特許文献１】特開２０１２−２１７１２５号公報（２０１２年１１月８日公開）
【発明の概要】
【発明が解決しようとする課題】
【０００５】
ところで、運転しながら等の特別な場合を除くと、通常、携帯端末装置を顔から離した状態で通話する際には、（１）携帯端末装置を手に持っている状態、および（２）携帯端末装置が手に持たれておらず、静止している状態（例えば、机の上などにおいた状態）、の２つの状態がある。これら２つの状態では、必要とされる携帯端末装置のスピーカ音量、およびマイクゲインが異なる。しかしながら、特許文献１に記載されている技術は、上記（１）および（２）の状態を区別して、スピーカ音量、およびマイクゲインの調整を行うことは考慮されておらず、上記各状態における、スピーカ音量、およびマイクゲインの設定が適切に行えないという問題がある。
【０００６】
本発明は、上記の問題点に鑑みてなされたものであり、その目的は、通話中に携帯端末装置が顔から離れた状態における、各使用状態に応じて音声出力および／または音声入力を適正に制御することできる携帯端末装置を提供することにある。
【課題を解決するための手段】
【０００７】
上記の課題を解決するために、本発明の一態様に係る携帯端末装置は、音声を出力する音声出力部と、音声を受け付ける音声入力部とを備えた、通話機能を有する携帯端末装置であって、自装置がユーザの顔から離れた状態において、自装置が手に把持されている状態である第１状態と、自装置がユーザの顔から離れた状態において、自装置が手に把持されておらず、かつ、静止している状態である第２状態と、を少なくとも検出する状態検出部と、自装置が前記第１状態および前記第２状態のいずれであるかに応じて、前記音声出力部の出力の大きさ、および前記音声入力部のゲインの大きさの少なくとも一方を設定する音声設定部と、を備えることを特徴とする。
【発明の効果】
【０００８】
本発明の一態様によれば、通話中に携帯端末装置が顔から離れた状態における、各使用状態に応じて音声出力および／または音声入力を適正に制御を行うことができるという効果を奏する。
【図面の簡単な説明】
【０００９】
【図１】本発明の実施形態１に係る携帯端末装置の要部構成を示すブロック図である。
【図２】上記携帯端末装置の外観を示す模式図である。
【図３】上記携帯端末装置の音声設定処理の一例を示すフロー図である。
【発明を実施するための形態】
【００１０】
〔実施形態１〕
本発明の一実施形態について、図１〜図３を参照して説明する。
【００１１】
〔携帯端末装置の概略構成〕
図１は、本発明の実施形態１に係る携帯端末装置１の要部構成を示すブロック図である。図２は、携帯端末装置１の外観を示す模式図である。図１および図２に示すように、携帯端末装置１は、筐体２、近接センサ２０、把持センサ２１、加速度センサ２２、マイク２３、音声出力部２４、ディスプレイ２５および制御部１０を備えている。
【００１２】
携帯端末装置１は、通話機能を有する。筐体２は、その内部に回路基板等を格納し、筐体２の外側および内側には、上述した各構成が備えられている。
【００１３】
ディスプレイ２５は、画像などの各種の情報を表示するための装置である。
【００１４】
マイク２３（音声入力部）は、携帯端末装置１に到達する音声の入力を受け付ける。具体的には、マイク２３は、ユーザから電話の相手先に対する通話などの音声が入力される。マイク２３は、後述する音声入力制御部１４により、マイクゲイン（音声入力部のゲイン）が制御される。マイク２３は、筐体２において、ユーザの顔に携帯端末装置１を近づけた状態で通話を行う際、ユーザが携帯端末装置１を把持した状態で筐体２の下部（ディスプレイ２５の下部）に配置されている。言い換えると、マイク２３は、ユーザの顔に携帯端末装置１を近づけた状態、すなわちユーザの顔と携帯端末装置１とが離れていない状態で通話を行う際、ユーザの口元の近傍に位置するように、筐体２に配置されている。
【００１５】
音声出力部２４は、携帯端末装置１に通話先から送信される音声信号に基づいて音声を出力する。具体的には、電話の相手先からの通話などの音声が出力される。音声出力部２４は、レシーバ２４ａ、およびレシーバ２４ａより音圧レベルが高いスピーカ２４ｂを備えている。音声出力部２４は、後述する音声出力制御部１５により、レシーバ２４ａまたはスピーカ２４ｂのどちらで音声を出力するかが指定され、出力する音声の大きさが制御される。
【００１６】
レシーバ２４ａは、筐体２において、ユーザの顔に携帯端末装置１を近づけた状態で通話を行う際、ユーザが携帯端末装置１を把持した状態で筐体２の上部（ディスプレイ２５の上部）に配置されている。言い換えると、レシーバ２４ａは、ユーザの顔に携帯端末装置１を近づけた状態、すなわちユーザの顔と携帯端末装置１とが離れていない状態で通話を行う際、ユーザの耳元の近傍に位置するように、筐体２に配置されている。筐体２において、スピーカ２４ｂの設置位置は特に限定されない。
【００１７】
近接センサ２０は、携帯端末装置１の筐体２への顔の近接を検出する。具体的には、近接センサ２０は、上部近接センサ２０ａおよび下部近接センサ２０ｂを備えている。上部近接センサ２０ａは、レシーバ２４ａの近傍、すなわち、ユーザの顔に携帯端末装置１を近づけた状態で通話を行う際、ユーザが携帯端末装置１を把持した状態で、ユーザの耳元に位置する筐体２の上部（ディスプレイ２５の上部）に配置されている。上部近接センサ２０ａは、ユーザの顔、特に側頭部および耳元が携帯端末装置１に近接した位置に存在していることを検出する。一方、下部近接センサ２０ｂは、マイク２３の近傍、すなわち、ユーザの顔に携帯端末装置１を近づけた状態で通話を行う際、ユーザが携帯端末装置１を把持した状態で、ユーザの口元に位置する筐体２の下部（ディスプレイ２５の下部）に配置されている。下部近接センサ２０ｂは、ユーザの顔、特に顎付近および口元が携帯端末装置１に近接した位置に存在していることを検出する。そして、上部近接センサ２０ａおよび下部近接センサ２０ｂは、携帯端末装置１への近接物を検出すると検出信号を後述する近接検出部１１に送信する。
【００１８】
把持センサ２１は、携帯端末装置１がユーザの手に把持されている（携帯端末装置１が手に持たれている、言い換えると、把持センサ２１に手が添えられている）ことを検出する。把持センサ２１は、例えば２つあり、筐体２におけるディスプレイ２５が配置されている面の両端に位置し対向する側面にそれぞれ配置されている。把持センサ２１は、携帯端末装置１が把持されていることを検出すると、検出信号を後述する把持検出部１６に送信する。
【００１９】
加速度センサ２２は、携帯端末装置１自体の加速度を検出する。言い換えると、加速度センサは、携帯端末装置１が静止状態にあることを検出する。加速度センサ２２は、携帯端末装置１の静止を検出すると、検出信号を後述する加速度検出部１７に送信する。
【００２０】
〔制御部〕
図１に示すように、制御部１０は、近接検出部１１、状態検出部１２、音声設定部１３、音声入力制御部１４、音声出力制御部１５、把持検出部１６、加速度検出部１７、音声認識部１８、および表示制御部１９を備えている。
【００２１】
近接検出部１１は、上部近接センサ２０ａおよび下部近接センサ２０ｂにより携帯端末装置１へのユーザの顔の近接の検出があった場合、上記検出信号を取得し、検出結果を状態検出部１２に送信する。把持検出部１６は、把持センサ２１により携帯端末装置１への把持の検出があった場合、検出信号を取得し、検出結果を状態検出部１２に送信する。加速度検出部１７は、加速度センサ２２により携帯端末装置１自体の加速度の検出があった場合、検出信号を取得し、検出結果を状態検出部１２に送信する。
【００２２】
ここで、ユーザが携帯端末装置１により通話している際の携帯端末装置１とユーザとの位置関係に関して、以下の状態が考えられる。（Ａ）携帯端末装置１に顔が近づいている状態、および（Ｂ）携帯端末装置１と顔とが離れている状態。
【００２３】
また、上記（Ａ）の状態において、さらに以下の状態が考えられる。（Ａ−１）耳元および口元が携帯端末装置１に近接している状態（通常状態）。（Ａ−２）耳元のみが携帯端末装置１に近接し、口元が携帯端末装置１に近接していない状態（上部近接状態）。（Ａ−３）口元のみが携帯端末装置１に近接し、耳元が携帯端末装置１に近接していない状態（下部近接状態）。
【００２４】
また、上記（Ｂ）の状態において、さらに以下の状態が考えられる。（Ｂ−１）携帯端末装置１が把持されている状態（非近接把持状態、第１状態）。（Ｂ−２）携帯端末装置１が把持されておらず、静止している状態（静止状態、第２状態）。非近接把持状態は、例えば、ユーザが携帯端末装置１を手で持ち、顔から離してディスプレイ２５を見ようとしている状態である。静止状態は、ユーザが携帯端末装置１を手に持たず、例えば、机の上などに置いた状態で通話している状態である。これは、例えば、ユーザが料理をしながらや、着替えながら、携帯端末装置１を机上に置いて音声対話アプリを使用している状況などが当てはまる。上述した非近接把持状態と静止状態とでは、必要とされる音声出力の大きさ、マイクゲインの大きさが異なる。
【００２５】
状態検出部１２は、近接検出部１１、把持検出部１６および加速度検出部１７の検出結果に基づき、携帯端末装置１が、上述した通常状態、上部近接状態、下部近接状態、非近接把持状態、および静止状態のいずれの状態であるかを検出する。言い換えると、状態検出部１２は、近接検出部１１、把持検出部１６および加速度検出部１７の検出結果に基づき、自装置がユーザの顔から離れた状態において、自装置が手に把持されている状態である非近接把持状態（第１状態）と、自装置がユーザの顔から離れた状態において、自装置が手に把持されておらず、かつ、静止している状態である静止状態（第２状態）と、を少なくとも検出する。
【００２６】
具体的には、状態検出部１２は、以下の（ａ）〜（ｅ）に示すように携帯端末装置１の各状態を検出する。（ａ）上部近接センサ２０ａおよび下部近接センサ２０ｂの両方において近接物の検出があり、把持センサ２１において携帯端末装置１がユーザの手に把持されていることの検出がある場合（上部近接センサ２０ａ、および下部近接センサ２０ｂに近接の反応があり、把持センサ２１に把持の検出がある場合）、携帯端末装置１は通常状態であるとする。（ｂ）上部近接センサ２０ａにおいて近接物の検出、および把持センサ２１において携帯端末装置１がユーザの手に把持されていることの検出があり、下部近接センサ２０ｂにおいて近接物の検出がない場合（上部近接センサ２０ａのみに近接の反応があり、把持センサ２１に把持の検出がある場合）、携帯端末装置１は上部近接状態であるとする。（ｃ）下部近接センサ２０ｂにおいて近接物の検出、および把持センサ２１において携帯端末装置１がユーザの手に把持されていることの検出があり、上部近接センサ２０ａにおいて近接物の検出がない場合（下部近接センサ２０ｂのみに近接の反応があり、把持センサ２１に把持の検出がある場合）、携帯端末装置１は下部近接状態であるとする。（ｄ）上部近接センサ２０ａおよび下部近接センサ２０ｂにおいて近接物の検出がなく、把持センサ２１において携帯端末装置１がユーザの手に把持されていることの検出がある場合（上部近接センサ２０ａ、および下部近接センサ２０ｂに近接の反応がなく、把持センサ２１に把持の検出がある場合）、携帯端末装置１は非近接把持状態であるとする。（ｅ）把持センサ２１において携帯端末装置１がユーザの手に把持されていることの検出があり、加速度センサ２２において携帯端末装置１自体の加速度の検出がない場合（上部近接センサ２０ａ、および下部近接センサ２０ｂに近接の反応がなく、把持センサ２１に把持の検出がなく、加速度センサ２２で静止の検出がある場合）、携帯端末装置１は静止状態であるとする。
【００２７】
状態検出部１２は、検出した携帯端末装置１の状態を音声設定部１３に送信する。
【００２８】
音声設定部１３は、状態検出部１２から送信された携帯端末装置１の状態に応じて、音声出力部２４の出力の大きさ、およびマイク２３のマイクゲインの大きさの少なくとも一方を設定する。具体的には、音声設定部１３は、以下の（I）〜（V）に示すように音声出力部２４の出力の大きさ、およびマイク２３のマイクゲインの大きさを設定する。（I）携帯端末装置１が通常状態である場合、音声の出力先をレシーバ２４ａとし、レシーバ２４ａの出力をレシーバレベルに設定する。また、マイク２３のマイクゲインを、ハンドセットレベルに設定する。（II）携帯端末装置１が上部近接状態である場合、音声の出力先をレシーバ２４ａとし、レシーバ２４ａの出力をレシーバレベルに設定する。また、マイク２３のマイクゲインを、ハンドセットレベルより大きく設定する。（III）携帯端末装置１が下部近接状態である場合、音声の出力先をレシーバ２４ａとし、レシーバ２４ａの出力をレシーバレベルより大きく設定する。また、マイク２３のマイクゲインを、ハンドセットレベルに設定する。（IV）携帯端末装置１が非近接把持状態である場合、音声の出力先をスピーカ２４ｂとし、スピーカ２４ｂの出力をスピーカレベルに設定する。また、マイク２３のマイクゲインを、ハンズフリーレベルに設定する。（V）携帯端末装置１が静止状態である場合、音声の出力先をスピーカ２４ｂとし、スピーカ２４ｂの出力をスピーカレベルより大きく設定する。また、マイク２３のマイクゲインを、ハンズフリーレベルより大きく設定する。
【００２９】
本実施形態では、スピーカレベルはレシーバレベルより大きく、ハンズフリーレベルはハンドセットレベルより大きいものとする。また、上記（IV）において設定されるスピーカレベルは、上記（III）において設定されるレシーバ２４ａの出力のレベルよりも大きく、上記（IV）において設定されるハンズフリーレベルは、上記（II）において設定されるマイクゲインの大きさよりも大きい。つまり、携帯端末装置１がユーザの顔から離れている状態におけるマイクゲインおよび音声の出力の大きさは、携帯端末装置１がユーザの顔から離れていない状態におけるマイクゲインおよび音声の出力の大きさよりも大きい。
【００３０】
音声設定部１３は、設定したマイクゲインの大きさを音声入力制御部１４に送信する。また、音声設定部１３は、設定した音声の出力先、および音声の出力の大きさを音声出力制御部１５に送信する。
【００３１】
音声入力制御部１４は、音声設定部１３による設定に基づき、マイク２３のマイクゲインを制御する。また、音声出力制御部１５は、音声設定部１３による設定に基づき、音声出力部２４における音声の出力先の選択（レシーバ２４ａかスピーカ２４ｂか）、およびレシーバ２４ａ／スピーカ２４ｂによる音声の出力の大きさを制御する。
【００３２】
なお、携帯端末装置１が下部近接状態である場合、ユーザは携帯端末装置１に音声を認識させようとしていることが考えられる。その場合を想定して、携帯端末装置１が下部近接状態である場合、状態検出部１２は、さらに音声認識部１８に下部近接状態であること示す信号を送信してもよい。音声認識部１８は、状態検出部１２から上記信号を受信した場合、例えば、音声認識用のアプリケーションを起動してマイク２３に入力された音声を認識し、認識した音声より抽出したテキストデータをディスプレイ２５に表示するように表示制御部１９に送信してもよい。また、携帯端末装置１は、上記テキストデータに基づいて外部データ（図示なし）にアクセスし、検索処理を行ってもよい。
【００３３】
〔音声設定処理〕
図３は、携帯端末装置１の音声設定処理の一例を示すフロー図である。
【００３４】
まず、携帯端末装置１でユーザにより通話が開始される。通話が開始されると、上部近接センサ２０ａおよび下部近接センサ２０ｂが携帯端末装置１へのユーザの顔の近接の検出を開始し、把持センサ２１が携帯端末装置１への把持の検出を開始し、加速度センサ２２が携帯端末装置１自体の加速度（携帯端末装置１の静止）の検出を開始する。
【００３５】
また、状態検出部１２は、「上部近接センサ２０ａ、および下部近接センサ２０ｂに近接の反応があり、把持センサ２１に把持の検出がある」という検出結果か否かを判定する（Ｓ１）。「上部近接センサ２０ａ、および下部近接センサ２０ｂに近接の反応があり、把持センサ２１に把持の検出がある」という検出結果である場合（Ｓ１でＹＥＳ）、状態検出部１２は、携帯端末装置１が通常状態であることを音声設定部１３に送信する。音声設定部１３は、状態検出部１２から、携帯端末装置１が通常状態であることを受信すると、音声の出力先をレシーバ２４ａとして、レシーバ２４ａの出力をレシーバレベルに設定するとともに、マイク２３のマイクゲインをハンドセットレベルに設定する（Ｓ６）。そして、音声設定部１３でされた設定に基づき、音声入力制御部１４は、マイク２３のマイクゲインを設定されたように制御し、音声出力制御部１５は、レシーバ２４ａの出力を設定されたように制御する。その後、Ｓ１の処理に戻る。
【００３６】
「上部近接センサ２０ａ、および下部近接センサ２０ｂに近接の反応があり、把持センサ２１に把持の検出がある」という検出結果ではない場合（Ｓ１でＮＯ）、状態検出部１２は、「上部近接センサ２０ａのみに近接の反応があり、把持センサ２１に把持の検出がある」という検出結果か否かを判定する（Ｓ２）。「上部近接センサ２０ａのみに近接の反応があり、把持センサ２１に把持の検出がある」という検出結果である場合（Ｓ２でＹＥＳ）、状態検出部１２は、携帯端末装置１が上部近接状態であることを音声設定部１３に送信する。音声設定部１３は、状態検出部１２から、携帯端末装置１が上部近接状態であることを受信すると、音声の出力先をレシーバ２４ａとして、レシーバ２４ａの出力をレシーバレベルに設定するとともに、マイク２３のマイクゲインをハンドセットレベルより大きく設定する（Ｓ７）。そして、音声設定部１３でされた設定に基づき、音声入力制御部１４は、マイク２３のマイクゲインを設定されたように制御し、音声出力制御部１５は、レシーバ２４ａの出力を設定されたように制御する。その後、Ｓ１の処理に戻る。
【００３７】
「上部近接センサ２０ａのみに近接の反応があり、把持センサ２１に把持の検出がある」という検出結果ではない場合（Ｓ２でＮＯ）、状態検出部１２は、「下部近接センサ２０ｂのみに近接の反応があり、把持センサ２１に把持の検出がある」という検出結果か否かを判定する（Ｓ３）。「下部近接センサ２０ｂのみに近接の反応があり、把持センサ２１に把持の検出がある」という検出結果である場合（Ｓ３でＹＥＳ）、状態検出部１２は、携帯端末装置１が下部近接状態であることを音声設定部１３に送信する。音声設定部１３は、状態検出部１２から、携帯端末装置１が下部近接状態であることを受信すると、音声の出力先をレシーバ２４ａとして、レシーバ２４ａの出力をレシーバレベルより大きく設定するとともに、マイク２３のマイクゲインをハンドセットレベルに設定する（Ｓ８）。そして、音声設定部１３でされた設定に基づき、音声入力制御部１４は、マイク２３のマイクゲインを設定されたように制御し、音声出力制御部１５は、レシーバ２４ａの出力を設定されたように制御する。その後、Ｓ１の処理に戻る。
【００３８】
「下部近接センサ２０ｂのみに近接の反応があり、把持センサ２１に把持の検出がある」という検出結果ではない場合（Ｓ３でＮＯ）、「上部近接センサ２０ａ、および下部近接センサ２０ｂに近接の反応がなく、把持センサ２１に把持の検出がある」という検出結果か否かを判定する（Ｓ４）。「上部近接センサ２０ａ、および下部近接センサ２０ｂに近接の反応がなく、把持センサ２１に把持の検出がある」という検出結果である場合（Ｓ４でＹＥＳ）、状態検出部１２は、携帯端末装置１が非近接把持状態であることを音声設定部１３に送信する。音声設定部１３は、状態検出部１２から、携帯端末装置１が非近接把持状態であることを受信すると、音声の出力先をスピーカ２４ｂとして、スピーカ２４ｂの出力をスピーカレベルに設定するとともに、マイク２３のマイクゲインをハンズフリーレベルに設定する（Ｓ９）。そして、音声設定部１３でされた設定に基づき、音声入力制御部１４は、マイク２３のマイクゲインを設定されたように制御し、音声出力制御部１５は、スピーカ２４ｂの出力を設定されたように制御する。その後、Ｓ１の処理に戻る。
【００３９】
「上部近接センサ２０ａ、および下部近接センサ２０ｂに近接の反応がなく、把持センサ２１に把持の検出がある」という検出結果ではない場合（Ｓ４でＮＯ）、状態検出部１２は、「上部近接センサ２０ａ、および下部近接センサ２０ｂに近接の反応がなく、把持センサ２１に把持の検出がなく、加速度センサ２２で静止状態の検出がある」という検出結果か否かを判定する（Ｓ５）。「上部近接センサ２０ａ、および下部近接センサ２０ｂに近接の反応がなく、把持センサ２１に把持の検出がなく、加速度センサ２２で静止の検出がある」という検出結果である場合（Ｓ５でＹＥＳ）、状態検出部１２は、携帯端末装置１が静止状態であることを音声設定部１３に送信する。音声設定部１３は、状態検出部１２から、携帯端末装置１が静止状態であることを受信すると、音声の出力先をスピーカ２４ｂとして、スピーカ２４ｂの出力をスピーカレベルより大きく設定するとともに、マイク２３のマイクゲインをハンズフリーレベルより大きく設定する（Ｓ１０）。そして、音声設定部１３でされた設定に基づき、音声入力制御部１４は、マイク２３のマイクゲインを設定されたように制御し、音声出力制御部１５は、スピーカ２４ｂの出力を設定されたように制御する。その後、Ｓ１の処理に戻る。また、「上部近接センサ２０ａ、および下部近接センサ２０ｂに近接の反応がなく、把持センサ２１に把持の検出がなく、加速度センサ２２で静止の検出がある」という検出結果でない場合（Ｓ５でＮＯ）、Ｓ１の処理に戻る。
【００４０】
以上のように、携帯端末装置１は、通常状態、上部近接状態、および下部近接状態に加え、非近接把持状態、および静止状態を検出して、マイク２３のマイクゲイン、および、レシーバ２４ａまたはスピーカ２４ｂの音量を調整することにより、マイク２３のマイクゲイン、および、レシーバ２４ａまたはスピーカ２４ｂの音量をより適切に自動調整することができる。これにより、ユーザは快適な音量で携帯端末装置１を使用することができ、携帯端末装置１はより使いやすいものとなる。
【００４１】
なお、本実施の形態では、マイク２３のマイクゲインの値は、各状態に対応付けて予め音声入力制御部１４に格納されているものとするが、設定する度に、例えば周囲の騒音を考慮して設定してもよい。同様に、レシーバ２４ａまたはスピーカ２４ｂの音量の値は、各状態に対応付けて予め音声出力制御部１５に格納されているものとするが、設定する度に、例えば周囲の騒音を考慮して設定してもよい。このように、設定値をそのときの状況に合わせて決定することにより、さらに携帯端末装置１の快適性、利便性を向上させることができる。
【００４２】
〔実施形態２〕
携帯端末装置１の制御部１０は、集積回路（ＩＣチップ）等に形成された論理回路（ハードウェア）によって実現してもよいし、ＣＰＵ（Central Processing Unit）を用いてソフトウェアによって実現してもよい。
【００４３】
後者の場合、携帯端末装置１の制御部１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４４】
〔まとめ〕
本発明の態様１に係る携帯端末装置（１）は、音声を出力する音声出力部（２４）と、音声を受け付ける音声入力部（マイク２３）とを備えた、通話機能を有する携帯端末装置であって、自装置がユーザの顔から離れた状態において、自装置が手に把持されている状態である第１状態（非近接把持状態）と、自装置がユーザの顔から離れた状態において、自装置が手に把持されておらず、かつ、静止している状態である第２状態（静止状態）と、を少なくとも検出する状態検出部（１２）と、自装置が前記第１状態および前記第２状態のいずれであるかに応じて、前記音声出力部の出力の大きさ、および前記音声入力部（マイク２３）のゲイン（マイクゲイン）の大きさの少なくとも一方を設定する音声設定部（１３）と、を備えている。
【００４５】
上記構成によれば、音声出力部からの音声出力の大きさおよび音声入力部のゲインの大きさの少なくとも一方が、第１状態および第２状態のいずれであるかに応じて、音声設定部により設定される。
【００４６】
これにより、携帯端末装置は、第１状態および第２状態それぞれの状態に応じて、音声出力部からの出力の大きさ、および音声入力部のゲインの大きさの少なくとも一方を設定することができる。その結果、通話中に携帯端末装置が顔から離れた状態において、第１状態と第２状態とを判断し、ユーザの操作を要することなく、それぞれの使用状態応じた音声出力および／または音声入力の適正な制御を行うことできる。
【００４７】
本発明の態様２に係る携帯端末装置（１）は、上記態様１において、前記音声設定部（１３）は、前記第２状態（静止状態）における前記音声出力部（２４）からの出力の大きさを、前記第１状態（非近接把持状態）における前記音声出力部からの出力の大きさよりも大きくなるように設定してもよい。
【００４８】
上記構成によれば、前記音声出力部からの出力の大きさは、音声設定部により、第１状態よりも第２状態の方が大きくなるように設定される。これにより、第１状態および第２状態の各状態において、適正な音声出力の制御を行うことができる。
【００４９】
本発明の態様３に係る携帯端末装置（１）は、上記態様１または２において、前記音声設定部（１３）は、前記第２状態（静止状態）における前記音声入力部（マイク２３）のゲイン（マイクゲイン）の大きさを、前記第１状態（非近接把持状態）における前記音声入力部のゲインの大きさよりも大きくなるように設定してもよい。
【００５０】
上記構成によれば、前記音声入力部のゲインの大きさは、音声設定部により、第１状態のときよりも第２状態のときの方が大きくなるように設定される。これにより、第１状態および第２状態の各状態において、適正な音声入力の制御を行うことができる。
【００５１】
本発明の態様４に係る携帯端末装置（１）は、上記態様１から３のいずれかにおいて、前記音声設定部（１３）は、前記第１状態（非近接把持状態）における前記音声入力部（マイク２３）のゲイン（マイクゲイン）の大きさを、自装置がユーザの顔から離れていない状態（通常状態、上部近接状態、下部近接状態）における前記音声入力部のゲインの大きさよりも大きくなるように設定してもよい。
【００５２】
上記構成によれば、前記音声入力部のゲインの大きさは、音声設定部により、自装置がユーザの顔から離れていない状態のときよりも第１状態のときの方が大きくなるように設定される。これにより、自装置がユーザの顔から離れていない状態および第１状態の各状態において、適正な音声入力の制御を行うことができる。
【００５３】
本発明の態様５に係る携帯端末装置（１）は、上記態様１から４のいずれかにおいて、ユーザの顔の近接を検出する近接センサ（２０）と、ユーザに把持されていることを検出する把持センサ（２１）と、自装置の加速度を検出する加速度センサ（２２）と、を備えていてもよい。
【００５４】
上記構成によれば、携帯端末装置の第１状態および第２状態を検出することができる。
【００５５】
本発明の各態様に係る携帯端末装置は、コンピュータによって実現してもよく、この場合には、コンピュータを上記携帯端末装置が備える各部（ソフトウェア要素）として動作させることにより上記携帯端末装置をコンピュータにて実現させる携帯端末装置１の制御プログラム、およびそれを記録したコンピュータ読み取り可能な記録媒体も、本発明の範疇に入る。
【００５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５７】
本発明は、通話機能を有する携帯端末装置に利用することができる。
【符号の説明】
【００５８】
１  携帯端末装置、１２  状態検出部、１３  音声設定部、２０ａ  上部近接センサ、２０ｂ  下部近接センサ、２１  把持センサ、２２  加速度センサ、２３  マイク（音声入力部）、２４  音声出力部、２４ａ  レシーバ、２４ｂ  スピーカ
【図１】
2016163053.tif 000003
【図２】
2016163053.tif 000004
【図３】
2016163053.tif 000005